(57)【要約】      （修正有）【課題】人形玩具の頭部に取着した髪飾りを確実に頭部に固定できるようにするとともに、髪止めとしての機能だけではなく付加価値的な機能を備えた人形玩具用髪飾りの提供。【解決手段】以下の要件を備えることを特徴とする、人形玩具用髪飾り。（イ）弾性を有する板状部材を略円弧状に形成した髪飾り本体１の内周面１ａには多数の突起２を形成したこと（ロ）上記髪飾り本体１の外周面１ｂの長手方向には一端から他端に凹溝３を形成したこと（ハ）上記凹溝３に輪ゴムなどの固定手段を介装させ、固定手段と上記突起２とで髪飾り本体１を人形玩具の頭部に固定したこと【選択図】図１
0003118432.tif 000002
【実用新案登録請求の範囲】
【請求項１】
以下の要件を備えることを特徴とする、人形玩具用髪飾り。
（イ）弾性を有する板状部材を略円弧状に形成した髪飾り本体の内周面には多数の突起を形成したこと
（ロ）上記髪飾り本体の外周面の長手方向には一端から他端に凹溝を形成したこと
（ハ）上記凹溝に輪ゴムなどの固定手段を介装させ、該固定手段と上記突起とで髪飾り本体を人形玩具の頭部に固定したこと
【請求項２】
前記髪飾り本体の外周面頂部には突出部を形成し、該突出部には前後方向に貫通する貫通孔を形成した、請求項１記載の人形用髪飾り。
【請求項３】
前記突出部はティアラを模して形成された、請求項２記載の人形玩具用髪飾り。
【考案の詳細な説明】
【技術分野】
【０００１】
本考案は、人形玩具用髪飾りに関するものである。
【背景技術】
【０００２】
従来、女性の頭部につける髪飾りとしてカチューシャと称されるものがある。このカチューシャは細長いプラスチックなどの板部材を円弧状に形成し、この板部材の弾性を利用して頭部に装着するようになっているものであるが、単に板部材を円弧状にしただけでは頭部に固定できないため、内側面に複数の突起を所定間隔をおいてブラシ状に突出形成し、頭部に装着したときに、上記突起が髪の間に入り込んで髪を押さえつけるとともに頭部に確実に固定されるようにしたものが提案されている（例えば、特許文献１）。
【特許文献１】特開２０００−９３２２７号公報
【考案の開示】
【考案が解決しようとする課題】
【０００３】
本考案が解決しようとする問題点は、上述の構成の髪飾りを人形玩具用に適用した場合は、ブラシ状に形成された突起が髪の中に入り込むことによって髪飾りが人形玩具の頭部に固定されるが、その固定は恒久的なものではなく人形玩具を持ち歩く際にズレる恐れがあり、人間の場合は髪飾りがズレたことが判るので上記構成の髪飾りであっても装着状態を修正することができるが、人形玩具の場合は所有者が気が付かなければズレたままであり、最悪の場合は頭部から外れてしまう恐れがあった。
【０００４】
本考案は、上記問題点を解決し、人形玩具の頭部に取着した髪飾りが頭部から外れないようにするとともに、髪止めだけではない付加価値を付与した画期的な人形玩具用の髪飾りを提供することを課題とする。
【課題を解決するための手段】
【０００５】
前記課題を解決するために本考案に係る人形玩具用髪飾りは、以下の要件を備えることを特徴とする。
（イ）弾性を有する板状部材を略円弧状に形成した髪飾り本体の内周面には多数の突起を形成したこと
（ロ）上記髪飾り本体の外周面の長手方向には一端から他端に凹溝を形成したこと
（ハ）上記凹溝に輪ゴムなどの固定手段を介装させ、該固定手段と上記突起とで髪飾り本体を人形玩具の頭部に固定したこと
【０００６】
なお、前記髪飾り本体の外周面頂部には突出部を形成し、該突出部の前後方向にはベールのような薄い布体の一端を差し込むための貫通孔を形成してもよい。
【０００７】
そして、前記突出部はティアラを模して形成されていることが好ましい。
【考案の効果】
【０００８】
請求項１の考案によれば、玩具本体に形成した突起と、玩具本体に介装させる固定手段とにより髪飾りを確実に人形玩具の頭部に固定するができ、人形玩具の持ち運び時に髪飾りが人形玩具の頭部から外れるようなトラブルを回避することができる。
【０００９】
請求項２の考案によれば、髪飾り本体に突出部を形成し、この突出部にベールを支持させることにより、髪留めの機能だけではなくベールを支持することができる機能を付加させることができ、人形遊びをより楽しいものにすることができる。
【００１０】
請求項３の考案によれば、突出部をティアラを模して形成したので、単にベールを支持するだけの機能的な効果だけに留まらず、視覚的にも楽しい髪飾りを実現することができる。
【考案を実施するための最良の形態】
【００１１】
図１（ａ）は、本考案に係る人形玩具用髪飾りＡを示し、この人形玩具用髪飾り（以下、髪飾りという）Ａは、髪飾り本体１を弾性を有する板状部材を円弧状に曲折して形成したもので、人形玩具の頭部に挟みつけて装着できるようにしたものである。
【００１２】
この髪飾り本体１の内周面１ａには両側部と上部とに長手方向に、図１（ｂ）に示すように、突起２がクシの歯のように多数形成されている。この突起２は断面略三角形状に形成されたもので、髪飾り本体１を人形玩具の頭部に装着した際に頭部をグリップし、髪飾り本体１が前後にずれないようにするためのものである。
【００１３】
そして、上記髪飾り本体１には外周面１ｂの長手方向に一端側から他端側に凹溝３が連続して形成され、この凹溝３の両端は髪飾り本体１の両端で開口するように形成されている。この凹溝３の幅は一般に使用されている輪ゴムの太さよりもやや大きく形成され、この凹溝３に輪ゴムを嵌め合わせることができるようになっている。
【００１４】
さらに、髪飾り本体１の外周面１ｂの頂部には略方形状に突出した突出部５が形成され、この突出部５には前後方向に貫通する貫通孔６が形成されている。
【００１５】
上記構成の髪飾りを人形玩具の頭部に装着するときは、髪飾り本体１の両側が耳の後に位置するように頭部に挟みつけた後、輪ゴムなどの固定手段７を凹溝３に嵌め合わせるとともに、後頭部の髪の毛の生え際に回るように取り付ければ（図２参照）、図３に示すように、人形玩具の頭部に装着できるようになっている。
【００１６】
このようにして人形玩具の頭部に取り付けた髪飾りＡは、髪飾り本体１の内周面１ａに形成された突起２が頭部をしっかりグリップするとともに、髪飾り本体１の外周面１ｂに形成した凹溝３に輪ゴム（固定手段）７を嵌め合わせるとともに、この輪ゴム７を後頭部の髪の生え際に回るように取り付けたので、髪飾り本体１を頭部に確実に固定することができ、人形玩具を持ち歩いても髪飾りＡがずれたり外れたりすることがなくなり、安心して人形玩具を持ち運ぶことができる髪飾りＡを実現することができる。
【００１７】
なお、固定手段７は輪ゴムに限定されるものではなく、細いゴム紐や、毛糸などの紐体であってもよく、この固定手段７で髪飾りＡを頭部に縛り付けるようにしてもよい。
【００１８】
そして、薄い布１０の一端１０ａを纏め、この布の一端１０ａを突出部５に形成した貫通孔６に差し込むことにより、図４に示すように、人形玩具にベールを被せた状態を作り出すことができ、単に単に髪に止める髪飾りだけではなく結婚式における花嫁の状態を再現することができ、付加価値を備えた髪飾りＡを実現することができる。
【００１９】
さらに、図５（ａ）（ｂ）は、髪飾りの他の例を示すもので、この髪飾りＡは上述の髪飾りに形成した突出部５をティアラを模して形成したものである。この髪飾りＡによれば、薄い布１０の一端１０ａを貫通孔６に差し込むことにより人形玩具がティアラでベールを保持した状態を作り出すことができ（図６参照）、突出部５が単に機能的な効果だけではなく装飾的な効果を発揮することができ、視覚面での楽しさを倍加することができる。
【図面の簡単な説明】
【００２０】
【図１】（ａ）（ｂ）は本考案に係る人形玩具用髪飾りの斜視図及び正面図
【図２】上記人形玩具用髪飾りを人形玩具の頭部に装着した状態を説明する側面図
【図３】上記人形玩具用髪飾りを人形玩具の頭部に装着した状態を説明する正面図
【図４】上記人形玩具用髪飾りの使用状態を説明する正面図
【図５】（ａ）（ｂ）は人形玩具用髪飾りの他の例を説明する斜視図及び正面図
【図６】上記他の例の人形玩具用髪飾りの使用状態を説明する正面図
【符号の説明】
【００２１】
１    髪飾り本体
２    突起
３    凹溝
５    突出部
６    貫通孔
７    固定手段
Ａ    髪飾り
【図１】
0003118432.tif 000003
【図２】
0003118432.tif 000004
【図３】
0003118432.tif 000005
【図４】
0003118432.tif 000006
【図５】
0003118432.tif 000007
【図６】
0003118432.tif 000008